(57)【要約】  本発明はユーザ端末のホームノードの選択方法およびシステムを提供し、UEのホームノードの選択過程中でのUEの処理の複雑度を減らすことに用いる。本発明は、ネットワーク側ノードがUEの上りチャネルに対し測定を行うことによって、UEから該ネットワーク側ノードまでのチャネル品質情報を得て、該チャネル品質情報に基づいて該UEのためにホームノードを選択し、ホームノードの選択過程中で、UEはサービスノードがCoMPセルー及び／或いはRelayノードの発射セットの判定を行うことを支えるために、頻繁的な測定及び報告を行う必要がなく、UEホームノードの選択過程中でのUEの処理の複雑度を減らし、UEの多い資源及びバッテリーパワーを節約し、且つ上り制御チャネルの負荷を軽減する。
2012533944.tif 000002
【特許請求の範囲】
【請求項１】
各ネットワーク側ノードが、ユーザ端末（UE）の上りチャネルに対し測定を行い、前記UEから前記各ネットワーク側ノードまでのチャネル品質情報を得て、前記UEのサービスノードへ送信することと、
前記サービスノードが、受信した前記UEから前記各ネットワーク側ノードまでのチャネル品質情報に基づき、前記UEのためにホームノードを選択することとを含むことを特徴とするユーザ端末のホームノードの選択方法。
【請求項２】
前記各ネットワーク側ノードがUEの上りチャネルに対し測定を行う前に、
前記サービスノードが、UEの報告した測定レポートに基づき、前記UEがサービスセルのエッジに位置されることを確定すると、UEの報告した測定レポートに基づき、信号が前記UEの位置する場所をカバーすることができるセルを確定することと、
前記のサービスノードが、確定された、前記UEをカバーすることができる部分または全部のセル内のネットワーク側ノードへ、前記UEの上りチャネルの測定を行う通知を送信することとをさらに含むことを特徴とする請求項１に記載のユーザ端末のホームノードの選択方法。
【請求項３】
前記各ネットワーク側ノードがUEの上りチャネルに対し測定を行うことは具体的に、
前記各ネットワーク側ノードは、自体が受信した通知に携えたUEのID、UEが上り信号を送信する時間周波数資源に基づき、前記UEが送信した上り信号の関連パラメータを測定して、前記UEから該ネットワーク側ノードまでのチャネル品質情報とする、または、
前記各ネットワーク側ノードは、自体が受信した通知に携えたUEのID、UEが検出Sounding信号を送信する時間周波数資源とコード情報に基づき、前記UEが送信したSounding信号の関連パラメータを測定して、前記UEから該ネットワーク側ノードまでのチャネル品質情報とする、または、
前記各ネットワーク側ノードは、自体が受信した通知に携えたUEのIDに基づき、サービスノードがUEへ下り発信した上り許可（UL grant）情報をモニターし、UEが上り信号を送信する時間周波数資源を獲得し、獲得された時間周波数資源における前記UEが送信した上り信号の関連パラメータを測定して、前記UEから該ネットワーク側ノードまでのチャネル品質情報とすることであり、
その中、前記の関連パラメータは、信号の強さ、基準信号受信パワー、基準信号受信品質、チャネル品質インジケータCQIを含むことを特徴とする請求項２に記載のユーザ端末のホームノードの選択方法。
【請求項４】
前記各ネットワーク側ノードがUEの上りチャネルに対し測定を行うことは具体的に、
ネットワーク側ノードは、サービスノードが各UEへそれぞれ下り発信したUL grant情報をモニターし、各UEが上り信号を送信する時間周波数資源を獲得し、
ネットワーク側ノードは、獲得された時間周波数資源における各UEが送信した上り信号の関連パラメータを測定して、前記UEから該ネットワーク側ノードまでのチャネル品質情報とする、または、
ネットワーク側ノードは、各UEが検出Sounding信号を送信する時間周波数資源とコード情報をそれぞれモニターし、各UEが送信したSounding信号の関連パラメータを測定して、前記UEから該ネットワーク側ノードまでのチャネル品質情報とすることであり、
その中、前記関連パラメータは、信号の強さ、基準信号受信パワー、基準信号受信品質、CQIを含むことを特徴とする請求項１に記載のユーザ端末のホームノードの選択方法。
【請求項５】
前記各ネットワーク側ノードが得たチャネル品質情報を前記UEのサービスノードへ送信することは具体的に、
予め設定した閾値に基づいて、測定したチャネル品質情報に対し選別を行い、前記予め設定した閾値より大きいチャネル品質情報、及び前記予め設定した閾値より大きいチャネル品質情報に対応するUEのIDを前記UEのサービスノードへ送信することであることを特徴とする請求項３または４に記載のユーザ端末のホームノードの選択方法。
【請求項６】
ネットワーク側ノード、サービスノードを備え、其の中、
ネットワーク側ノードは、UEの上りチャネルに対し測定を行い、UEから該ネットワーク側ノードまでのチャネル品質情報を得て前記UEのサービスノードへ送信し、
サービスノードは、受信した前記UEから各ネットワーク側ノードまでのチャネル品質情報に基づき、前記UEのためにホームノードを選択することを特徴とするユーザ端末のホームノードの選択システム。
【請求項７】
前記のサービスノードは、
受信した前記UEから各ネットワーク側ノードまでのチャネル品質情報に基づき、前記UEのためにホームノードを選択するための選択モジュールを含むことを特徴とする請求項６に記載のユーザ端末のホームノードの選択システム。
【請求項８】
前記のサービスノードはまたセル確定モジュール、通知モジュールを備え、其の中、
セル確定モジュールは、前記UEが報告した測定レポートに基づき、前記UEがサービスセルのエッジに位置しているかどうかを確定し、位置していると、前記UEが報告した測定レポートに基づき、前記UEの位置する場所をカバーするセルを確定し、
通知モジュールは、確定された前記UEをカバーする部分または全部のセル内のネットワーク側ノードへ、前記UEの上りチャネルに対し測定を行う通知を送信することを特徴とする請求項７に記載のユーザ端末のホームノードの選択システム。
【請求項９】
前記のネットワーク側ノードは第一測定モジュール、第一送信モジュールを備え、其の中、
第一測定モジュールは、自体が受信した通知に携えたUEのID、UEが上り信号を送信する時間周波数資源に基づき、前記UEが送信した上り信号の関連パラメータを測定し、または、自体が受信した通知に携えたUEのID、UEが送信したSounding信号の時間周波数資源とコード情報に基づき、UEが送信したSounding信号の関連パラメータを測定し、または、自体が受信した通知にUEが上り信号を送信する時間周波数資源を携えなく、UEが送信したSounding信号の時間周波数資源とコード情報も携えない場合、自体が受信した通知に携えたUEのIDに基づき、サービスノードがUEへ下り発信したUL grant情報をモニターし、前記UEが上り信号を送信する時間周波数資源を得て、得た時間周波数資源の上で前記UEが送信した上り信号の関連パラメータを測定し、
第一送信モジュールは、測定した関連パラメータを前記UEから該ネットワーク側ノードまでのチャネル品質情報とし、前記選択モジュールへ送信することを特徴とする請求項８に記載のユーザ端末のホームノードの選択システム。
【請求項１０】
前記のネットワーク側ノードは第二測定モジュール、第二送信モジュールを備え、其の中、
第二測定モジュールは、サービスノードが各UEへそれぞれ下り発信したUL grant情報をモニターして、各UEが上り信号を送信する時間周波数資源を獲得し、獲得した時間周波数資源で各UEが送信した上り信号の関連パラメータ測定して、前記UEから該ネットワーク側ノードまでのチャネル品質情報とし、または、各UEが送信した検出Sounding信号の時間周波数資源とコード情報をモニターし、各UEが送信したSounding信号の関連パラメータを測定して、前記UEから該ネットワーク側ノードまでのチャネル品質情報とし、
第二送信モジュールは、予め設定した閾値に基づき、測定して得たチャネル品質情報の選別を行い、該閾値より大きいチャネル品質情報、及び該閾値より大きいチャネル品質情報に対応するUEのIDを前記UEのサービスノードへ送信することを特徴とする請求項６または７に記載のユーザ端末のホームノードの選択システム。
【発明の詳細な説明】
【発明の詳細な説明】
【０００１】
〔技術分野〕
本発明はロングタームエボリューションアドバンスト（LTE-A，Long Term Evolution Advanced）技術に関し、特にユーザ端末のホームノードの選択方法およびシステムに関する。
【０００２】
〔背景技術〕
セル境界の カバレッジゲインを高め、ブラインドアップ効果を実現するため、ＬＴＥ−Ａシステムには、リレー（Relay）と多地点協調送信／受信（CoMP、Coordinated Multipoint transmission/reception）技術とを導入した。
【０００３】
Ｒｅｌａｙ技術を導入した後、図１に示すように、LTE-Aシステムのネットワークアーキテクチャには、Ｒｅｌａｙノードが他のネットワークノードの間で無線リンクによりデータをリレーする機能を備え、また制御機能を備えることも可能であり、基地局（eNB）とユーザ端末（UE）との間の無線リンクがダイレクトリンク（direct link）であり、ＲｅｌａｙノードとＵＥとの間の無線リンクがアクセスリンク（access link）であり、ｅＮＢとRelayとの間の無線リンクがバックホールリンク（backhaul link）である。其の中、Ｒｅｌａｙノードがタイプ１Ｒｅｌａｙ（type1 Relay）である時、該Ｒｅｌａｙノードは独立なセル識別子（cell-ID）があり、即ち、UEに対して目に見え、eNBに直接的にサービスされたUEがマクロUE（Macro UE）と呼ばれ、RelayにサービスされたUEがリレーUE（Relay UE）と呼ばれる。
【０００４】
しかし技術から定義すると、CoMPには光ファイバで接続したリモートユニットで共同にUEのためにサービスをし、具体的には、隣接の複数のリモートユニットがセルエッジのUEのために協力的にサービスするにより、セルエッジの通信品質を高め、または複数のセルがセルエッジの部分を同時にカバーし、即ち、複数のセルのエッジ部分を重ならせ、セルエッジの通信品質を高める。LTE-Aシステムには、CoMP技術を導入した後、図２に示すように、eNB下でのセルにおいて設定された複数のリモートユニットがセルエッジのUEのために協力的にサービスし、其の中、リモートユニットとeNBとの間には有線接続を採用し、信号の転送機能だけを備え、独立なcell-IDを備えない、即ちUEに対して目に見えない。図３に示すように、複数のセルはセルの接合部を同時にカバーし、其の中、セルの接合部を同時にカバーするセルがCoMPセルと呼ばれる。
【０００５】
RelayとCoMP技術を導入した後、UEがサービスセルのエッジに位置する場合に、UEのためにホームノードをどのように選択することが比較的に複雑な問題である。従来、UEのためにホームノードを確定する方法は以下のようであり、つまり、UEの測定レポートに基づいて、UEのためにいくつかのセル及び／或いはノードが含まれた測定集合を設定し、UEは自体から測定集合に含まれた各セル―までのチャネルの品質をそれぞれ測定し、且つ測定したチャンネル品質に基づいて測定レポートを生成し、サービスノードに報告し、サービスノードはUEが報告した測定レポートにより、UEのホームノードを確定し、即ち該UEのためにサービスしようなeNBを確定する。
【０００６】
測定集合にはCoMPセル及び／或いはRelayノードが含まれた場合、上記の方法を採用すると、前記サービスノードはUEが報告した測定レポートに基づき、UEのホームノードを確定する具体的なステップが以下の内容を含む必要がある。UEが報告した測定レポートに基づき、CoMPセル及び／或いはRelayノードの発信セットを判定し、しかし、UEの慣例的な測定及び報告に比べ、CoMPセル及び／或いはRelayノードの発信セットを判定するため、UEがさらに頻繁的な測定及び報告を行う必要があり、UE処理の複雑度が増加され、UEの多い資源を占有する必要があり、且つUEのバッテリーパワーの節約に役立たなく、従来の上り制御チャネルの容量に対して比較的に大きい衝撃をもたらし、特に、セルエッジのUEに対してホームノードの選択を行うため、チャネル品質が比較的悪く、測定レポートを送信することは複数の再送の必要があり、高い送信パワーの必要があるなどのもっと大きい代価を払うことになる。その他、独立なcell-IDを備えないRelayとリモートユニットが、UEに対して目に見えないため、UEはそれに対する測定を行えない、即ち上記の方法はそれらのノードに対してUEホームノードの選択を行えない、RelayとCoMP技術の応用を妨げる。
【０００７】
〔発明の概要〕
〔発明が解決しようとする課題〕
これに鑑みてなされたもので、本発明は、UEホームノードの選択の過程に処理の複雑度を減らすことができるユーザ端末のホームノードの選択方法およびシステムを提供することを目的とする。
【０００８】
〔課題を解決するための手段〕
上記の目的に達成するために、本発明の技術方案はこのように実現された。
【０００９】
ユーザ端末のホームノードの選択方法であって、該方法は、
各ネットワーク側ノードが、ユーザ端末（UE）の上りチャネルに対し測定を行い、前記UEから前記各ネットワーク側ノードまでのチャネル品質情報を得て、前記UEのサービスノードへ送信することと、
前記サービスノードが、受信した前記UEから前記各ネットワーク側ノードまでのチャネル品質情報に基づき、前記UEのためにホームノードを選択することとを含む。
【００１０】
さらに、前記各ネットワーク側ノードがUEの上りチャネルに対し測定を行う前に、
前記サービスノードが、UEの報告した測定レポートに基づき、前記UEがサービスセルのエッジに位置されることを確定すると、UEの報告した測定レポートに基づき、信号が前記UEの位置する場所をカバーすることができるセルを確定することと、
前記のサービスノードが、確定された、前記UEをカバーすることができる部分または全部のセル内のネットワーク側ノードへ、前記UEの上りチャネルの測定を行う通知を送信することとをさらに含む。
【００１１】
さらに、前記各ネットワーク側ノードがUEの上りチャネルに対し測定を行うことは具体的に、
前記各ネットワーク側ノードは、自体が受信した通知に携えたUEのID、UEが上り信号を送信する時間周波数資源に基づき、前記UEが送信した上り信号の関連パラメータを測定して、前記UEから該ネットワーク側ノードまでのチャネル品質情報とする、または、
前記各ネットワーク側ノードは、自体が受信した通知に携えたUEのID、UEが検出Sounding信号を送信する時間周波数資源とコード情報に基づき、前記UEが送信したSounding信号の関連パラメータを測定して、前記UEから該ネットワーク側ノードまでのチャネル品質情報とする、または、
前記各ネットワーク側ノードは、自体が受信した通知に携えたUEのIDに基づき、サービスノードがUEへ下り発信した上り許可（UL grant）情報をモニターし、UEが上り信号を送信する時間周波数資源を獲得し、獲得された時間周波数資源における前記UEが送信した上り信号の関連パラメータを測定して、前記UEから該ネットワーク側ノードまでのチャネル品質情報とすることであり、
その中、前記の関連パラメータは、信号の強さ、基準信号受信パワー、基準信号受信品質、チャネル品質インジケータCQIを含む。
【００１２】
さらに、前記各ネットワーク側ノードがUEの上りチャネルに対し測定を行うことは具体的に、
ネットワーク側ノードは、サービスノードが各UEへそれぞれ下り発信したUL grant情報をモニターし、各UEが上り信号を送信する時間周波数資源を獲得し、
ネットワーク側ノードは、獲得された時間周波数資源における各UEが送信した上り信号の関連パラメータを測定して、前記UEから該ネットワーク側ノードまでのチャネル品質情報とする、または、
ネットワーク側ノードは、各UEが検出Sounding信号を送信する時間周波数資源とコード情報をそれぞれモニターし、各UEが送信したSounding信号の関連パラメータを測定して、前記UEから該ネットワーク側ノードまでのチャネル品質情報とすることであり、
その中、前記関連パラメータは、信号の強さ、基準信号受信パワー、基準信号受信品質、CQIを含む。
【００１３】
さらに、前記各ネットワーク側ノードが得たチャネル品質情報を前記UEのサービスノードへ送信することは具体的に、
予め設定した閾値に基づいて、測定したチャネル品質情報に対し選別を行い、前記予め設定した閾値より大きいチャネル品質情報、及び前記予め設定した閾値より大きいチャネル品質情報に対応するUEのIDを前記UEのサービスノードへ送信することである。
【００１４】
本発明はまたユーザ端末のホームノードの選択システムを提供し、該システムは、ネットワーク側ノード、サービスノードを備え、其の中、
ネットワーク側ノードは、UEの上りチャネルに対し測定を行い、UEから該ネットワーク側ノードまでのチャネル品質情報を得て前記UEのサービスノードへ送信し、
サービスノードは、受信した前記UEから各ネットワーク側ノードまでのチャネル品質情報に基づき、前記UEのためにホームノードを選択するこ。
【００１５】
さらに、前記のサービスノードは、
受信した前記UEから各ネットワーク側ノードまでのチャネル品質情報に基づき、前記UEのためにホームノードを選択するための選択モジュールを含む。
【００１６】
さらに、前記のサービスノードはまたセル確定モジュール、通知モジュールを備え、其の中、
セル確定モジュールは、前記UEが報告した測定レポートに基づき、前記UEがサービスセルのエッジに位置しているかどうかを確定し、位置していると、前記UEが報告した測定レポートに基づき、前記UEの位置する場所をカバーするセルを確定し、
通知モジュールは、確定された前記UEをカバーする部分または全部のセル内のネットワーク側ノードへ、前記UEの上りチャネルに対し測定を行う通知を送信する。
【００１７】
さらに、前記のネットワーク側ノードは第一測定モジュール、第一送信モジュールを備え、其の中、
第一測定モジュールは、自体が受信した通知に携えたUEのID、UEが上り信号を送信する時間周波数資源に基づき、前記UEが送信した上り信号の関連パラメータを測定し、または、自体が受信した通知に携えたUEのID、UEが送信したSounding信号の時間周波数資源とコード情報に基づき、UEが送信したSounding信号の関連パラメータを測定し、または、自体が受信した通知にUEが上り信号を送信する時間周波数資源を携えなく、UEが送信したSounding信号の時間周波数資源とコード情報も携えない場合、自体が受信した通知に携えたUEのIDに基づき、サービスノードがUEへ下り発信したUL grant情報をモニターし、前記UEが上り信号を送信する時間周波数資源を得て、得た時間周波数資源の上で前記UEが送信した上り信号の関連パラメータを測定し、
第一送信モジュールは、測定した関連パラメータを前記UEから該ネットワーク側ノードまでのチャネル品質情報とし、前記選択モジュールへ送信する。
【００１８】
さらに、前記のネットワーク側ノードは第二測定モジュール、第二送信モジュールを備え、其の中、
第二測定モジュールは、サービスノードが各UEへそれぞれ下り発信したUL grant情報をモニターして、各UEが上り信号を送信する時間周波数資源を獲得し、獲得した時間周波数資源で各UEが送信した上り信号の関連パラメータ測定して、前記UEから該ネットワーク側ノードまでのチャネル品質情報とし、または、各UEが送信した検出Sounding信号の時間周波数資源とコード情報をモニターし、各UEが送信したSounding信号の関連パラメータを測定して、前記UEから該ネットワーク側ノードまでのチャネル品質情報とし、
第二送信モジュールは、予め設定した閾値に基づき、測定して得たチャネル品質情報の選別を行い、該閾値より大きいチャネル品質情報、及び該閾値より大きいチャネル品質情報に対応するUEのIDを前記UEのサービスノードへ送信する。
【００１９】
本発明に係るユーザ端末のホームノードの選択方法およびシステムは、ネットワーク側ノードがUEの上りチャネルの測定を行うことによって、UEから該ネットワーク側ノードまでのチャネル品質情報を得て、該チャネル品質情報に基づき該UEのためにホームノードを選択し、ホームノードの選択過程中で、サービスノードがCoMPセル及び／或いはRelayノードの発信セットに対しての判定を支えるために、UEが頻繁的な測定及び報告を行う必要がなく、UEホームノードの選択過程中でのUEの処理の複雑度を減らし、UEの多い資源及びバッテリーパワーを節約し、且つ上り制御チャネルの負荷を軽減する。
【００２０】
〔図面の簡単な説明〕
［図１］LTE-Aシステムのネットワークアーキテクチャを示す模式図である。
［図２］複数のリモートユニットが協力的にセルエッジのUEのためにサービスすることを示す模式図である。
［図３］複数のセルがセルの接合部を同時にカバーすることを示す模式図である。
［図４］本発明の実施例一のユーザ端末のホームノードの選択方法の実現フロ―図である。
［図５］本発明の実施例二のユーザ端末のホームノードの選択システムの構造を示す模式図である。
［図６］本発明の実施例三のユーザ端末のホームノードの選択システムの構造を示す模式図である。
【００２１】
〔発明を実施するための形態〕
図４の示すように、本発明の実施例一のユーザ端末のホームノードの選択方法の実現フロ―は以下のステップを備え、
ステップ４０１、各ネットワーク側ノードは、UEの上りチャネルに対し測定を行い、UEから該ネットワーク側ノードまでのチャネル品質情報を得て該UEのサービスノードへ送信する。
【００２２】
その中、UEの現在サービスセルをリレーセルとし、即ち現在UEが独立なcell-IDを備えるRelayノードに常駐すると、前記サービスノードが該Relayノードであり、そうでなければ、前記サービスノードはUEが駐留するeNBである。UEから該ネットワーク側ノードまでのチャネル品質情報を得た後、ネットワーク側ノードが先に該チャネル品質情報を平滑化、設定閾値のフィルターリングという初期処理を行うことができ、それを該UEのサービスノードへ送信し、且つ送信メカニズムとしては定期報告メカニズムまたはトリガ報告メカニズムが採用できる。
【００２３】
ここで、前記各ネットワーク側ノードがUEの上りチャネルに対し測定を行うことで、具体的には、
ステップａ１、ネットワーク側ノードは、サービスノードが各UEへそれぞれ下り発信した上り許可（UL grant）情報をモニターし、各UEが上り信号を送信する時間周波数を得る。其の中、前記ネットワーク側ノードは、eNB、独立なcell-IDを備えるRelayノード、独立なcell-IDを備えないRelayノード、リモートユニットを含むことができる。前記リモートユニットはベースバンド処理ユニット（Base Band Unite，BBU）またはラジオリモートユニット（Radio Remote Unit，RRU）である。
【００２４】
ステップｂ１、ネットワーク側ノードは、得た時間周波数資源で各UEが送信した上り信号の関連パラメータをそれぞれ測定して、UEから該ネットワーク側ノードまでのチャネル品質情報とする。その中、前記関連パラメータは、信号の強さ、基準信号受信パワー、基準信号受信品質、チャネル品質インジケータ（CQI）などのUEから該ネットワーク側ノードまでのチャネル品質を識別できるパラメータを含む。
【００２５】
前記各ネットワーク側ノードはUEの上りチャネルに対し測定を行うことはまた以下のようにあってもよい、
ネットワーク側ノードは、各UEが検出Sounding信号を送信する時間周波数資源とコード情報をそれぞれモニターし、各UEが送信したSounding信号の関連パラメータを測定して、UEから該ネットワーク側ノードまでのチャネル品質情報とする。
【００２６】
前記のUEから該ネットワーク側ノードまでのチャネル品質情報を得て該UEのサービスノードへ送信することは、具体的に、
予め設定した閾値に基づき測定されたチャネル品質情報に対し選別を行い、該閾値より大きいチャネル品質情報、及び該閾値より大きいチャネル品質情報に対応するUEのIDをUEのサービスノードへ送信することである。
【００２７】
本発明の具体な実施例一では、ステップ４０１の前に、ネットワーク側ノードへUEの上りチャネルに対し測定を行うことを通知するステップをさらに備え、この具体なステップはいかのようである。
【００２８】
ステップａ２、サービスノードはUEが報告した測定レポートに基づき、UEがサービスセルのエッジに位置することを確定すると、UEが報告した測定レポートに基づき、信号がUEのある場所をカバーすることができるセルを確定する。
【００２９】
ステップｂ２、サービスノードは、確定された部分または全部のセル内のネットワーク側ノードへ、UEの上りチャネルに対し測定を行う通知を送信し、前記セル内のネットワーク側ノードはeNB、独立なcell-IDを備えるRelayノード、独立なcell-IDを備えないRelayノード、リモートユニット中の一種又は多種を含むことができる。
【００３０】
その中、ステップｂ２では、確定された部分のセル内のネットワーク側ノードへ、UEの上りチャネルに対し測定を行う通知を送信することは、具体的に、UEが報告した測定レポートに基づき、UEまでのチャネル品質比較的良いセルを確定し、UEまでのチャネル品質比較的良い該セル内のネットワーク側ノードへ、UEの上りチャネルに対し測定する通知を送信することである。対応して、ステップ４０１において前記各ネットワーク側ノードがUEの上りチャネルに対し測定を行うことは、具体的に、
各ネットワーク側ノードは、自体が受信した通知に携えたUEのID、UEが上り信号を送信する時間周波数資源に基づき、UEが送信した上り信号の関連パラメータを測定して、UEから該ネットワーク側ノードまでのチャネル品質情報とする、または、
各ネットワーク側ノードは、自体が受信した通知に携えたUEのID、UEが検出（Sounding）信号を送信する時間周波数資源とコード情報に基づき、UEが送信したSounding信号の関連パラメータ測定して、UEから該ネットワーク側ノードまでのチャネル品質情報とする、または、
各ネットワーク側ノードは、自体が受信した通知にUEが上り信号を送信する時間周波数資源を携えなく、UEがSounding信号を送信する時間周波数資源とコード情報も携えない場合、自体が受信した通知に携えたUEのIDに基づき、サービスノードがUEへ下り発信したのUL grant情報をモニターして、UEが上り信号を送信する時間周波数資源を獲得し、獲得した時間周波数資源でUEが送信した上り信号の関連パラメータを測定して、UEから該ネットワーク側ノードまでのチャネル品質情報とすることである。
【００３１】
その中、前記関連パラメータは、信号の強さ、基準信号受信パワー、基準信号受信品質、チャネル品質インデックスCQI などのUEから該ネットワーク側ノードまでのチャネル品質を識別できるパラメータを含む。
【００３２】
ステップ４０２、前記サービスノードは受信されたUEから該ネットワーク側ノードまでのチャネル品質情報に基づき、該UEのためにホームノードを選択する。
【００３３】
その中、UEホームノードの具体な選択方法は、
UEから各ネットワーク側ノードまでのチャネル品質情報を比べ、チャネル品質が良く、且つ資源が比較的アイドルのネットワーク側ノードを選択して、該UEのホームノードとする、または、
ネットワーク側ノードから送信された該閾値より大きいチャネル品質情報、及び該閾値より大きいチャネル品質情報に対応するUEのIDに基づき、該ネットワーク側ノードに属する全部のUEを確定することである。
【００３４】
図５に示すように、本発明の実施例二のユーザ端末のホームノードの選択システムの構造はネットワーク側ノード５１、サービスノード５０を備え、其の中、
ネットワーク側ノード５１は、UE の上りチャネルに対し測定を行い、UEから該ネットワーク側ノードまでのチャネル品質情報を得て該UEのサービスノード５０へ送信することに用いられる。
【００３５】
サービスノード５０は、受信したUEから各ネットワーク側ノードまでのチャネル品質情報に基づき、該UEのためにホームノードを選択することに用いられる。
【００３６】
其の中、前記サービスノード５０は、
受信した、UEから各ネットワーク側ノードまでのチャネル品質情報に基づき、該UEのためにホームノードを選択することに用いられる選択モジュール５０１を含む。
【００３７】
更に、前記サービスノードはセル確定モジュール５０２、通知モジュール５０３も備え、其の中、
セル確定モジュール５０２は、UEが報告した測定レポートに基づき、UEがサービスセルのエッジに位置することを確定する場合、UEが報告した測定レポートに基づき、UEのある場所をカバーするセルを確定することに用いられ、
通知モジュール５０３は、確定された部分または全部のセル内のネットワーク側ノード５１へ、UEの上りチャネルを測定する通知を送信することに用いられる。
【００３８】
対応的に、前記ネットワーク側ノード５１は第一測定モジュール５１１、第一送信モジュール５１２を備え、其の中、
第一測定モジュール５１１は、自体が受信した通知に携えたUEのID、UEが上り信号を送信する時間周波数資源に基づき、UEが送信した上り信号の関連パラメータを測定し、または、自体が受信した通知に携えたUEのID、UEがSounding信号を送信する時間周波数資源とコード情報に基づき、UEが送信したSounding信号の関連パラメータを測定し、または、自体が受信した通知にUEが上り信号を送信する時間周波数資源を携えなく、UEがSounding信号を送信する時間周波数資源とコード情報も携えない場合、自体が受信した通知に携えたUEのIDに基づき、サービスノードがUEへ下り発信した上り許可情報をモニターし、UEが上り信号を送信する時間周波数資源を得て、得られた時間周波数資源でUEが送信した上り信号の関連パラメータを測定することに用いられる。
【００３９】
第一送信モジュール５１２は、測定された関連パラメータをUEから該ネットワーク側ノードまでのチャネル品質情報とし、選択モジュール５０１へ送信することに用いられる。
【００４０】
図６に示すように、本発明の実施例三のユーザ端末のホームノードの選択システムの構造はネットワーク側ノード６１、サービスノード６０を備え、其の中、
ネットワーク側ノード６１は、UEの上りチャネルの測定を行い、UEから該ネットワーク側ノードまでのチャネル品質情報を得て、該UEのサービスノード６０へ送信することに用いられ、
サービスノード６０は、受信したUEから各ネットワーク側ノードまでのチャネル品質情報に基づき、該UEのためにホームノードを選択することに用いられる。
【００４１】
その中、前記サービスノード６０は、
受信されたUEから各ネットワーク側ノードまでのチャネル品質情報に基づき、該UEのためにホームノードを選択することに用いられる選択モジュール６０１を含む。
【００４２】
前記ネットワーク側ノードは第二測定モジュール６１１、第二送信モジュール６１２を含み、其の中、
第二測定モジュール６１１は、サービスノードが各UEへそれぞれ下り発信したUL grant情報をモニターし、各UEが上り信号を送信する時間周波数資源を獲得し、獲得した時間周波数資源で各UEが送信した上り信号の関連パラメータをそれぞれ測定して、UEから該ネットワーク側ノードまでのチャネル品質情報とし、または、各UEがSounding信号を送信する時間周波数資源とコード情報をモニターし、各UEが送信したSounding信号の関連パラメータを測定して、UEから該ネットワーク側ノードまでのチャネル品質情報とすることに用いられる。
【００４３】
第二送信モジュール６１２は、予め設定した閾値に基づき測定されたチャネル品質情報の選別を行い、該閾値より大きいチャネル品質情報、及び該閾値より大きいチャネル品質情報に対応するUEのIDを該UEのサービスノード６０へ送信することに用いられる。
【００４４】
上記のものは、本発明の望ましい実施例だけであり、決して本発明の保護範囲を限定するものではない。
【図面の簡単な説明】
【００４５】
【図１】LTE-Aシステムのネットワークアーキテクチャを示す模式図である。
【図２】複数のリモートユニットが協力的にセルエッジのUEのためにサービスすることを示す模式図である。
【図３】複数のセルがセルの接合部を同時にカバーすることを示す模式図である。
【図４】本発明の実施例一のユーザ端末のホームノードの選択方法の実現フロ―図である。
【図５】本発明の実施例二のユーザ端末のホームノードの選択システムの構造を示す模式図である。
【図６】本発明の実施例三のユーザ端末のホームノードの選択システムの構造を示す模式図である。
【図２】
2012533944.tif 000003
【図３】
2012533944.tif 000004
【図４】
2012533944.tif 000005
【図５】
2012533944.tif 000006
【図６】
2012533944.tif 000007
【図１】
2012533944.tif 000008
【国際調査報告】
2012533944.tif 000009
2012533944.tif 000010
2012533944.tif 000011
2012533944.tif 000012